(57)【要約】      （修正有）【課題】手指に障害の有る人々、及び一定年齢になり指先に力が入りにくくなる人々に、自由にファッションを楽しんで頂くために、安全で簡単な操作で小さなファスナーから、ボタンの留め外しまで出来る、コンパクトで収納出来るズボン服などの、収納式ファスナーボタン留め外し具を提供する。【解決手段】軸となる、軸板１に取り付けられた、鉤状部１一つで全ての動作を解決することが出来る、又軸となる軸板１と持手部分５が、カバーと兼用している物とで、構成されており軸板１の足部にあけられた小孔６により、１８０度半円をえがいて持手５部分がカバーと兼用している溝７に、折りたたみ収納することが出来る構成になっている。【選択図】図１
2005137863.tif 000002
【特許請求の範囲】
【請求項１】
軸板の頭部の一つの鉤状部ですべての役割をはたす、使用しない時は鉤状部にカバーがかかっており、使用するとき、鉤状部をカバーから出せる。カバーは持手と兼用で、鉤状部を収納出来る。
【発明の詳細な説明】
【発明の詳細な説明】
【技術分野】
【０００１】この発明は、手指に障害の有る人、また一定年令に成り指に力が入りにくく成った人々にも、今迄通り自由にファッションを楽しんで頂くために、安全で簡単な操作で、小さなボタンやチャックなどの開閉に利用することの出来る、ズボン、服などの収納式ファスナー、ボタン留め外し具に関する物である。
【背景技術】
【０００２】従来の手指障害の有る人ようにとしてある、ボタン留め外し具は、金属の線状の材質の物を細長い輪状にして、その輪状の中にボタンをくぐらせて、糸を引掛けて、ボタンホールの中を通してボタンを留めるものである、また別の物は握り棒の両側に、軸棒が取り付けられており、一方にはボタンを留める鉤状体が取り付けられており、もう片方の軸棒にはファスナー開閉用の突起物が２ヶ所と、ボタン穴を引掛けて広げてボタンを外す、引掛体の突起物とで構成されている物がある。
【発明が解決しようとする課題】
【０００３】初めに（ズボン服などの収納式ファスナー、ボタン留め外し具）以下ファスナーボタン留め外し具と称する、従来のような金属の線状を応用したボタン開閉具は変形しやすい、又いちいちボタンを輪の中にくぐらせねばならず、手指の不自由な人々には手間が掛かる、又大小のボタンに対応するにはどうしても大小２つのボタン留め外し具を使い分ける必要が有る、又別のボタン留め外し具では、握り棒の両側に軸棒が取り付けられており、一方にはボタンを留める、鉤状物が取り付けられており、又一方には、ボタンを外す引掛棒や、ファスナー用の突起物が取り付けられており、ケガの原因にも成りかねず危険である、又結構両軸を合わせると長く大きな物に成る、又軸棒の両側を使用する都度選択する必要が有り、手指障害や指に力の入らない人に取って大変不便であった、本発明は以上の欠点を解決するためになされたものである。
【課題を解決するための手段】
【０００４】本発明は、軸板（１）と成る細長い板状の頭部の部分に、鉤状部（２）を作る、この鉤状部（２）の先（３）と、鉤状部（２）の糸の取入口（４）を利用して、ファスナーの開閉からボタンの留め外しまでを、一つの鉤状部（２）で全ての役割をはたすことが出来る、又鉤状部（２）は、カバーが持手部分（５）と兼用している部位に、折りたたみ収納することが出来る、本発明は以上の構成より成る、ファスナー、ボタン留め外し具である。
【発明を実施するための最良の形態】
【０００５】本発明の実施の形態を折りたたみ式、収納方法を例に説明する。
（イ）  軸板（１）と成る細長い板状の頭部に、一つの鉤状部で全ての役割をはたす鉤状部（２）を作り、同じ軸板（１）の反対側の足部に小孔（６）をあける。
（ロ）  持ち手部分（５）の側面に、鉤状部（２）が取り付けられている軸板（１）を、収納する溝（７）を作る、溝イコール（カバー）である。
（ハ）  軸板（１）の足部にあけられた小孔（６）部分が、中心軸と成って軸板（１）は、１８０°の半円をえがいて持手（５）部分が、カバーと兼用している側面に、折りたたみ収納することが出来る。
【実施例】
【０００６】以下本発明の実施例に付いて説明する。
軸板（１）の材質は、固質の材料なら何でもよい、軸板（１）の厚みは１ｍｍ〜２ｍｍ以内、幅９ｍｍ〜１１ｍｍ以内、鉤状部の先（３）の幅は、１ｍｍ〜２ｍｍ以内とすることで、ファスナーの摘み片（８）の小孔（９）に差し込むことが出来る、又ボタン糸の取入口（４）を、広くなめらかな角度の糸の取入口（４）にすることで、ボタンの糸を取りこみやすく成ると同時に外しやすく成る、ボタンを留める時は、ボタンホールから軸板（１）の鉤状部（２）を差し込み、ボタン糸を引掛けて引っ張ることで、ボタンはボタンホール内を通り、留めることが出来る、又外す時は留められているボタンの糸を、鉤状部（２）で引掛けて、一度手前に引くことで、留められているボタンホールの穴が大きく開く事で、ボタンが外しやすく成る、又ファスナーの場合は、摘み片（８）の小孔（９）の裏側より、鉤状部の先（３）を差し入れることで開閉しやすく成る、軸板（１）の足部にあけられる小孔（６）は、適当な大きさでよい、又鉤状部（２）の一定場所に、２０度以内の一定の角度を、もうけてもよい一定の角度を付けることでボタンがボタンホール内を通りやすく成る、次に持ち手部分（５）の表面は滑りにくい表面に仕上げる、持手（５）部分には鉤状部（２）が取り付けられている軸板（１）を、鉤状部（２）とは反対側の、足部の小孔（６）を中心軸として、軸板（１）は１８０度半円をえがいて、持手（５）部分がカバーと兼用している側面に収納することが出来る、又別の方法として、鉤状部（２）が取り付けられている軸板（１）が、持手部分（５）がカバーと兼用している持手部分（５）より、前後スライド式に出し入れ出来るようにしてもよい、又軸板（１）持手部分（５）が一軸化させて、鉤状部（２）から身を守るために軸板（１）全体にボールペンの軸側に取り付けられているキャップのようにカバーをかぶせる、カバーは持手、クリップ側に取り付けられるようにする、そして紛失を防ぐ為に持手部分（５）に、クリップを取り付けてもよい、又軸板（１）の表面に図案を取り入れて装飾を入れてもよい、それによりアクセサリー度が上がる、本発明は以上のような実施形態に成っている。
【発明の効果】
【０００７】本発明を使用することにより突出部がなくなり安全性が増す、又コンパクトになり、持ち運びが楽に成り、一つの鉤状部でファスナーからボタンの留め外しまで全ておこなう事の出来るようになり、便利性がました、又クリップなども取り付けられるので紛失する事がなくなった。
【図面の簡単な説明】
【図１】本発明の全体、斜視図
【図２】鉤状部の糸の取入口より、ボタンの取り付け糸を取り込む図
【図３】取り込まれたボタンが、ボタンホールの内側から、引き出す図
【図４】留められているボタンの糸部分に鉤状部を引掛けて一度手前に引く図
【図５】一度手前に引いたボタンを、ボタンホール内にもどす図
【図６】ファスナー摘み片の小孔に鉤状部先を内側より差し入れている図
【図７】逆手を使いボタンを引掛けて、ボタンホール内側より引き出す図（カバーを外した後は持手部分の後ろにカバーを取り付けられる。）
【符号の説明】
１    軸板
２    鉤状部
３    鉤状部の先
４    糸の取入口
５    持手部分
６    軸板部を収納する溝部
７    ファスナーの摘み片
８    ファスナーの摘み片の小孔
９    クリップ
１０  ボタン及びボタン系
１１  ボタンホール
【図１】
2005137863.tif 000003
【図２】
2005137863.tif 000004
【図４】
2005137863.tif 000005
【図５】
2005137863.tif 000006
【図６】
2005137863.tif 000007
【図７】
2005137863.tif 000008
【手続補正書】
【提出日】平成16年2月4日(2004.2.4)
【手続補正２】
【補正対象書類名】図面
【補正対象項目名】全図
【補正方法】変更
【補正の内容】
【図１】
2005137863.tif 000009
【図２】
2005137863.tif 000010
【図３】
2005137863.tif 000011
【図４】
2005137863.tif 000012
【図５】
2005137863.tif 000013
【図６】
2005137863.tif 000014
【図７】
2005137863.tif 000015